(57)【特許請求の範囲】
【請求項１】
熱源機から導出された湯水を浴槽に設けられた洗浄ノズルへ導く出湯管路と、出湯管路の通水を遮断可能な出湯開閉弁と、洗浄液を貯留可能な洗浄液タンクと、洗浄液タンク内の洗浄液を出湯管路へ導く洗浄液混合管路と、洗浄液混合管路の洗浄液の流通を遮断可能な洗浄液開閉弁と、出湯開閉弁および洗浄液開閉弁を開くことで、熱源機から出湯管路に供給される湯を洗浄液タンク内の洗浄液と共に洗浄ノズルから噴射させる浴槽洗浄運転の実行手段とを備えた浴槽洗浄装置であって、
出湯管路における洗浄液混合管路との合流部より下流側に、洗浄液開閉弁が開かれ且つ出湯開閉弁が閉じられた状態において、上流側から加わる水圧以下で閉弁し、上流側から下流側への通水を阻止する漏液防止弁が設けられた、浴槽洗浄装置。
【請求項２】
請求項１に記載の浴槽洗浄装置において、
洗浄液タンク内に貯留された洗浄液量を検出する液量センサと、
浴槽洗浄運転の実行回数を計数する計数手段と、
装置本体の動作情報を報知する報知手段とを備え、
前記洗浄液量が所定の上限量以上になった後の浴槽洗浄運転の実行回数が所定回数未満である条件下において、前記洗浄液量が所定の下限量未満になった場合は、洗浄液開閉弁が閉弁不良であることを報知手段から報知させる構成とした、浴槽洗浄装置。
【発明の詳細な説明】
【技術分野】
【０００１】
本発明は、風呂システムに組み込まれ、給湯器で加熱生成された湯を洗浄液と混合して、浴槽に設けられた洗浄ノズルから浴槽内に噴射させる浴槽洗浄装置に関する。
【背景技術】
【０００２】
従来、給湯器で加熱生成された湯を洗浄液と共に洗浄ノズルから浴槽内へ噴射させ、浴槽の内壁面に付着した汚れを洗い落とす浴槽洗浄機能を備えた風呂システムが知られている（例えば、特許文献１から４参照）。
【０００３】
図３に示すように、この種の従来の風呂システムは、洗浄ノズル１２を備えた浴槽１と、バーナ２１および熱交換器２２を備えた給湯器２と、給湯器２で加熱生成された湯を洗浄ノズル１２から浴槽１内へ噴射させる浴槽洗浄装置８と、給湯器２や浴槽洗浄装置８の動作を指示する給湯操作端末５とで構成されている。
【０００４】
浴槽洗浄装置８は、給湯器２から供給される湯を洗浄ノズル１２へ導く出湯管路８１と、洗浄液を貯留可能な洗浄液タンク９０と、洗浄液タンク９０内の洗浄液を出湯管路８１へ導く洗浄液混合管路８２とを備えており、出湯管路８１の上流端に給湯器２の熱交換器２２が給湯配管Ｌ２を介して接続され、出湯管路８１の下流端に浴槽１の洗浄ノズル１２が洗浄配管Ｌ６を介して接続されている。
【０００５】
洗浄液混合管路８２は、出湯管路８１の中間部に合流接続されている。また、洗浄液混合管路８２には、洗浄液タンク９０から出湯管路８１への洗浄液の供給を遮断可能な洗浄液開閉弁９２が設けられている。一方、出湯管路８１における洗浄液混合管路８２との合流部８３より上流側には、給湯器２側への洗浄液や湯の逆流を防止するための逆流防止弁９８と、給湯器２から出湯管路８１への湯の供給を遮断可能な出湯開閉弁９７と、出湯管路８１から洗浄ノズル１２への湯の導出量を調整可能な噴射量調整弁９４とが設けられている。
【０００６】
そして、給湯操作端末５にて浴槽洗浄運転の開始の指示がなされた場合は、洗浄液開閉弁９２および出湯開閉弁９７を開くと共に噴射量調整弁９４を所定開度に調整し、さらにバーナ２１を点火させる。これにより、給湯器２から出湯管路８１へ所定温度の湯が供給され、洗浄液タンク９０内の洗浄液と共に洗浄ノズル１２から浴槽１の内壁面へ向けて噴射される。
【先行技術文献】
【特許文献】
【０００７】
【特許文献１】特開２０１５−２０００８号公報
【特許文献２】特開２０１０−７５２９２号公報
【特許文献３】特開２００９−２０７７５３号公報
【特許文献４】特開２００８−１３６７６０号公報
【発明の概要】
【発明が解決しようとする課題】
【０００８】
しかしながら、上記従来の風呂システムに組み込まれる浴槽洗浄装置８では、浴槽洗浄運転の実行中、異物の噛み込みや駆動部の故障などによって洗浄液開閉弁９２が開状態のまま閉じられなくなると、浴槽洗浄運転が終了して給湯器２から出湯管路８１への湯水の供給が停止されたにもかかわらず、洗浄液タンク９０内の洗浄液が出湯管路８１から洗浄配管Ｌ６に流れ出し、洗浄ノズル１２を通じて浴槽１内に漏出する虞があった。そして、このように浴槽１内に洗浄液が残存したままの状態で浴槽１への湯張りが行われると、風呂水に多量の洗浄液が混入し、使用者に不快感を与えてしまう問題がある。
【０００９】
本発明は、上記課題を鑑みてなされたものであり、その目的は、浴槽洗浄機能を備えた風呂システムに組み込まれる浴槽洗浄装置において、浴槽内に洗浄液が残存した状態で使用されるのを適切に防止することにある。
【課題を解決するための手段】
【００１０】
本発明は、熱源機から導出された湯水を浴槽に設けられた洗浄ノズルへ導く出湯管路と、出湯管路の通水を遮断可能な出湯開閉弁と、洗浄液を貯留可能な洗浄液タンクと、洗浄液タンク内の洗浄液を出湯管路へ導く洗浄液混合管路と、洗浄液混合管路の洗浄液の流通を遮断可能な洗浄液開閉弁と、出湯開閉弁および洗浄液開閉弁を開くことで、熱源機から出湯管路に供給される湯を洗浄液タンク内の洗浄液と共に洗浄ノズルから噴射させる浴槽洗浄運転の実行手段とを備えた浴槽洗浄装置であって、出湯管路における洗浄液混合管路との合流部より下流側に、洗浄液開閉弁が開かれ且つ出湯開閉弁が閉じられた状態において、上流側から加わる水圧以下で閉弁し、上流側から下流側への通水を阻止する漏液防止弁が設けられたものである。
【００１１】
このものでは、洗浄液開閉弁に閉弁不良が生じ、洗浄液混合管路が常時開放された状態になっていても、浴槽洗浄が終了して出湯開閉弁が閉じられれば、出湯管路における洗浄液混合管路との合流部より下流側への通水が漏液防止弁によって阻止されるから、洗浄液タンク内の洗浄液が洗浄ノズルを通じて浴槽内に漏出するのを防止できる。
【００１２】
好ましくは、上記浴槽洗浄装置において、洗浄液タンク内に貯留された洗浄液量を検出する液量センサと、浴槽洗浄運転の実行回数を計数する計数手段と、装置本体の動作情報を報知する報知手段とを備え、前記洗浄液量が所定の上限量以上になった後の浴槽洗浄運転の実行回数が所定回数未満である条件下において、前記洗浄液量が所定の下限量未満になった場合は、洗浄液開閉弁が閉弁不良であることを報知手段から報知させる構成とする。
【００１３】
この種の浴槽洗浄装置では、通常、浴槽洗浄運転として、湯に洗浄液を混合して浴槽内へ噴射させる洗浄工程を行った後、湯のみを浴槽内へ噴射させるすすぎ工程を行うように構成されている。そのため、上記のように洗浄液開閉弁に閉弁不良が生じている場合には、すすぎ工程においても洗浄液が浴槽内に噴射されてしまい、浴槽洗浄運転の終了後、浴槽の内壁面に多量の洗浄液が付着残留している可能性がある。しかしながら、本発明によれば、洗浄液タンク内に洗浄液を上限量まで補充した後の浴槽洗浄運転の実行回数が所定回数未満であるにもかかわらず、洗浄液量が下限量未満になった場合は、洗浄液開閉弁に閉弁不良が生じているとしてその旨を報知するから、使用者に対して浴槽洗浄機能の使用中止や装置の点検、修理などを促すことができる。
【発明の効果】
【００１４】
以上のように、本発明によれば、たとえ洗浄液開閉弁に閉弁不良が生じても、洗浄ノズルから浴槽内に洗浄液が漏出しないから、浴槽内に洗浄液が残存した状態で使用されるのを適切に防止することができる。
【図面の簡単な説明】
【００１５】
【図１】図１は、本発明の実施の形態に係る浴槽洗浄装置を用いた風呂システムの概略構成図である。
【図２】図２は、本発明の実施の形態に係る浴槽洗浄装置の作動フローチャートである。
【図３】図３は、従来の風呂システムの概略構成図である。
【発明を実施するための形態】
【００１６】
次に、上記した本発明を実施するための形態について、添付図面を参照しながら詳述する。
【００１７】
図１に示すように、本発明の実施の形態に係る浴槽洗浄装置３を用いて構築される風呂システムは、浴槽金具１１および洗浄ノズル１２を備えた浴槽１と、バーナ２１Ａ，２１Ｂおよび熱交換器２２Ａ，２２Ｂを備えた熱源機としての給湯器２と、給湯器２で加熱生成された湯を洗浄液と混合して浴槽１の洗浄ノズル１２に供給する浴槽洗浄装置３と、給湯器２や浴槽洗浄装置３の動作を設定指示する操作端末５とで構成されている。
【００１８】
操作端末５は、運転スイッチ５０、湯張り運転の開始を指示する湯張りスイッチ５１、追焚運転の開始を指示する追焚スイッチ５２、浴槽洗浄運転の開始を指示する浴槽洗浄スイッチ５３、出湯温度や湯張り量、洗浄回数などの設定を加減するための加減スイッチ５４に加え、給湯器２および浴槽洗浄装置３の運転状態や設定された動作条件などを表示する表示部５５、湯張り運転や浴槽洗浄運転が終了したことを音声にて報知する音声出力部５６を備えている。
【００１９】
浴槽１の浴槽金具１１は、浴槽１の側壁内側に設けられており、戻り配管Ｌ３および往き配管Ｌ４を介して給湯器２の追焚用熱交換器２２Ｂに接続されている。図示しないが、浴槽金具１１は、浴槽１内の風呂水を給湯器２へ導出するための吸込口と、給湯器２にて加熱された湯を浴槽１内へ導入するための吹出口とを備えており、上記吸込口が戻り配管Ｌ３に繋がり、上記吹出口が往き配管Ｌ４に繋がっている。
【００２０】
浴槽１の洗浄ノズル１２は、浴槽１の底壁内側に設けられており、洗浄配管Ｌ６を介して浴槽洗浄装置３の出湯管路３１に接続されている。図示しないが、洗浄ノズル１２は、浴槽洗浄装置３から供給される湯を浴槽１の内壁面へ向けて放射状に湯を放出する噴射口を備えており、上記噴射口が洗浄配管Ｌ６に繋がっている。
【００２１】
浴槽１の底壁内側には、図示しない排水栓駆動部により開閉される自動排水栓１３が設けられている。このように、自動排水栓１３を備えた浴槽１を用いて風呂システムを構築することで、浴槽洗浄運転が終了した後、引き続き浴槽１への湯張り運転が自動で実行されるように構成することができる。
【００２２】
尚、上記自動排水栓１３に代えて、手動で開閉する排水栓が設けられたものとしてもよい。この場合、浴槽洗浄運転と湯張り運転とは連動せず、それぞれ独立して実行される。即ち、浴槽洗浄運転が終了した時点でその旨を報知し、その後、使用者が手動で排水栓を閉じ、湯張り運転の開始を手動で指示すれば、湯張り運転に移行するように構成される。
【００２３】
給湯器２は、給湯用バーナ２１Ａから放出されるガスの燃焼熱を回収し、上水道から給水配管Ｌ１を通じて供給される水を加熱する給湯用熱交換器２２Ａと、追焚用バーナ２１Ｂから放出されるガスの燃焼熱を回収し、浴槽１から戻り配管Ｌ３を通じて供給される風呂水を加熱する給湯用熱交換器２２Ｂとを備えている。
【００２４】
給湯用熱交換器２２Ａの水入口は、給水配管Ｌ１を介して上水道に繋がり、給湯用熱交換器２２Ａの湯出口は、給湯配管Ｌ２を介してカランやシャワーなどの温水利用先Ｋに繋がっている。一方、追焚用熱交換器２２Ｂの水入口は、戻り配管Ｌ３を介して浴槽金具１１に繋がり、追焚用熱交換器２２Ｂの湯出口は、往き配管Ｌ４を介して浴槽金具１１に繋がっている。また、給湯用熱交換器２２Ａの湯出口は、給湯器２内の湯張り用バイパス管路２００を介して往き配管Ｌ４に繋がっている。
【００２５】
給湯用熱交換器２２Ａの水入口と給水配管Ｌ１の下流端とを繋ぐ給湯器２内の入水管路２０１には、給水配管Ｌ１から給湯用熱交換器２２Ａへの通水量を検出する給水量センサ２３と、給水配管Ｌ１から供給される水を給湯用熱交換器２２Ａの湯入口と給湯配管Ｌ２の上流端とを繋ぐ給湯器２内の出水管路２０２に分流させる分流弁２４とが上流側よりこの順序で配設されている。
【００２６】
追焚用熱交換器２２Ｂの水入口と戻り配管Ｌ３の下流端とを繋ぐ給湯器２内の風呂水導入管路２０３には、浴槽１の水位を検出する圧力センサ２５と、浴槽１内の風呂水を追焚用熱交換器２２Ｂとの間で循環させる循環ポンプ２６とが配設されている。
【００２７】
湯張り用バイパス管路２００は、入水管路２０１から分岐して追焚用熱交換器２２Ｂの湯出口と往き配管Ｌ４の上流端とを繋ぐ給湯器２内の風呂水導出管路２０４に合流接続されている。また、湯張り用バイパス管路２００には、給湯用熱交換器２２Ａから往き配管Ｌ４への通水を遮断可能なバイパス開閉弁２７が設けられている。
【００２８】
給湯器２には、操作端末５の操作状態を監視する操作判定部、給水量センサ２３の検知水量が所定水量以上を示したか否かを監視する出湯判定部、分流弁２４の開度の調整を行う出湯温制御部、バーナ２１Ａ，２１Ｂの点消火動作を制御するバーナ制御部、バイパス開閉弁２７の開閉を行う湯張り制御部、バイパス開閉弁２７が開かれた状態における給水量センサ２３の検知水量の積算値を監視する湯張り量判定部、圧力センサ２５の検知圧力を監視する浴槽水位判定部、循環ポンプ２６のオンオフ動作を制御する追焚制御部等の回路構成を備えた給湯制御回路２Ｃが組み込まれており、上記給湯制御回路２Ｃによって温水利用先Ｋや浴槽洗浄装置３への給湯運転、浴槽１への湯張り運転、浴槽１内の風呂水の追焚運転等が行われる。
【００２９】
詳述すると、給湯制御回路２Ｃは、温水利用先Ｋや浴槽洗浄装置３が開栓され、給水量センサ２３の検知水量が所定水量以上を示した場合、給湯用バーナ２１Ａを点火して給湯用熱交換器２２Ａに供給される水を加熱すると共に、分流弁２４の開度を調整し、設定温度の湯を給湯配管Ｌ２に送り出す給湯運転を実行する。また、操作端末５にて湯張り開始の指示がなされた場合は、バイパス開閉弁２７を開いて給水配管Ｌ１から給湯用熱交換器２２Ａへの通水を開始させ、さらに給湯用熱交換器２２Ａで加熱生成された湯を湯張り用バイパス管路２００から往き配管Ｌ４を通じて浴槽１へ供給する湯張り運転を実行する。さらに、操作端末５にて追焚開始の指示がなされた場合は、循環ポンプ２６を作動させて浴槽１内の風呂水を戻り配管Ｌ３から追焚用熱交換器２２Ｂへ供給すると共に、追焚用バーナ２１Ｂを点火して追焚用熱交換器２２Ｂに供給される風呂水を加熱し、再び往き配管Ｌ４から浴槽１内へ帰還させる追焚運転を実行する。
【００３０】
本発明の実施の形態に係る浴槽洗浄装置３は、給湯器２から給湯配管Ｌ２に導出された湯を洗浄配管Ｌ６へ導く出湯管路３１と、洗浄液を貯留可能な洗浄液タンク４０と、洗浄液タンク４０内の洗浄液を出湯管路３１へ導く洗浄液混合管路３２とを備えており、出湯管路３１の上流端に給湯配管Ｌ２が接続され、下流端に洗浄配管Ｌ６が接続されている。
【００３１】
洗浄液混合管路３２は、上流端が洗浄液タンク４０の洗浄液排出口に接続され、下流端が出湯管路３１の中間部に合流接続されている。また、洗浄液タンク４０には、洗浄液タンク４０内に貯留された洗浄液量を検出する液量センサ４１が設けられており、洗浄液混合管路３２には、洗浄液タンク４０から出湯管路３１への洗浄液の導出を遮断可能な洗浄液開閉弁４２が配設されている。
【００３２】
尚、液量センサ４１は、少なくとも洗浄液タンク４０内に洗浄液が所定の上限量以上貯留されているか下限量未満であるかを検出可能な構成のセンサであれば、複数の水位電極からなる電極センサを用いてもよいし、上下に複数の接点スイッチを備えたフロートセンサを用いてもよい。
【００３３】
出湯管路３１における洗浄液混合管路３２の合流部３３より上流側には、出湯管路３１が通水停止状態である場合に外部連通路４３０を開放し、出湯管路３１を装置外部に連通させる大気開放弁４３と、出湯管路３１から洗浄配管Ｌ６への湯の導出量を調整可能な噴射量調整弁４４と、給湯配管Ｌ２から出湯管路３１への通水量を検出する湯量センサ４５と、風呂水や洗浄液が出湯管路３１を通じて給湯配管Ｌ２に逆流するのを防止する縁切り機構部４６と、出湯管路３１の通水を遮断可能な出湯開閉弁４７とが下流側よりこの順序で配設されている。
【００３４】
縁切り機構部４６は、上水道の断水等による給水配管Ｌ１の水圧低下に応動して外部連通路４６０を開放し、出湯管路３１を装置外部に連通させる大気開放弁４６Ａと、出湯管路３１における大気開放弁４６Ａの接続部の上流側および下流側にそれぞれ設けられ、縁切り機構部４６より下流側への通水を許容し、上流側への通水を阻止する逆流防止弁４６Ｂとで構成されている。
【００３５】
出湯管路３１における洗浄液混合管路３２の合流部３３より下流側には、出湯開閉弁４７が閉じられて出湯管路３１への通水が遮断された状態において、洗浄液タンク４０内の洗浄液が出湯管路３１を通じて洗浄配管Ｌ６側へ流出するのを防止するための漏液防止弁４８が配設されている。
【００３６】
漏液防止弁４８は、弁体を弁孔へバネ部材によって押し付けることで一方向への通水を遮断するように構成された逆流防止弁であり、出湯開閉弁４７が開かれ且つ噴射量調整弁４４が所定開度に設定され、上流側から所定以上の水圧が加われば開弁し、出湯管路３１から洗浄配管Ｌ６への通水を許容する一方、出湯開閉弁４７が閉じられて上流側から所定以上の水圧が加わらなくなれば閉弁し、洗浄配管Ｌ６から出湯管路３１への通水を阻止する。
【００３７】
また、上記バネ部材のバネ定数は、漏液防止弁４８への入水圧が、洗浄液開閉弁４２が開かれ且つ出湯開閉弁４７が閉じられた状態のときに上流側（洗浄液混合管路３２側）から加わる水圧、即ち、洗浄液タンク４０内に貯留された洗浄液が満蓄状態であるときのヘッド圧以下になれば閉弁するように設定されている。従って、洗浄液開閉弁４２に閉弁不良が生じ、洗浄液混合管路３２が常時開放された状態になっている場合でも、出湯開閉弁４７が閉じられて、入水圧が上記ヘッド圧以下になれば閉弁する。これにより、洗浄液タンク４０から洗浄配管Ｌ６側への洗浄液の流出が阻止される。
【００３８】
浴槽洗浄装置３には、操作端末５の操作状態を監視する操作判定部、噴射量調整弁４４の開度の調整や出湯開閉弁４７の開閉を行う噴射量制御部、洗浄液開閉弁４２の開閉を行う洗浄液量制御部、自動排水栓１３の開閉を行う排水制御部、出湯開閉弁４７の開時間や洗浄液開閉弁４２の開時間、自動排水栓１３の開時間を計測する計時部、液量センサ４１の検知液量を監視する洗浄液量判定部、浴槽洗浄運転の実行回数を計数する計数部、洗浄液開閉弁４２の閉弁不良を判定する閉弁不良判定部、洗浄液の残量が所定の下限量未満になったことや洗浄液開閉弁４２に閉弁不良が生じていることなど浴槽洗浄装置３の状態を操作端末５の表示部５５や音声出力部５６から報知させる情報通信部等の回路構成を備えた洗浄制御回路３Ｃが組み込まれており、上記洗浄制御回路３Ｃによって浴槽洗浄運転が行われる。
【００３９】
詳述すると、洗浄制御回路３Ｃは、操作端末５により浴槽洗浄運転開始の指示がなされた場合、出湯開閉弁４７を開くと共に噴射量調整弁４４の開度の調整し、給湯配管Ｌ２から出湯管路３１への通水を開始させ、さらに洗浄液開閉弁４２を適宜開いて洗浄液混合管路４１から出湯管路３１へ洗浄液を導入する浴槽洗浄運転を実行する。
【００４０】
上記浴槽洗浄装置３における洗浄液開閉弁４２の閉弁不良の判定制御動作を、図２のフローチャートに従って説明する。尚、以下の浴槽洗浄運転を行うにあたって、操作端末５の運転スイッチ５０のオン操作がなされると、洗浄制御回路３Ｃの主制御プログラムが起動し、湯張り運転や浴槽洗浄運転が実行可能な状態となる。一方、給湯器２では、給湯制御回路２Ｃの主制御プログラムが起動し、給湯運転や湯張り運転、追焚運転が実行可能な状態となる。
【００４１】
運転スイッチ５０のオン操作がなされた後、浴槽洗浄スイッチ５２のオン操作がなされた場合は（ＳＴ１のステップでＹｅｓ）、まず、液量センサ４１の検知液量Ｓ１が所定の上限量Ｓａ以上であるか否かを判定する。その結果、上記検知液量Ｓ１が上限量Ｓａ以上であれば（ＳＴ２のステップでＹｅｓ）、洗浄液タンク４０内に洗浄液が上限まで貯留された満蓄状態であるとして、図示しないメモリに記憶された浴槽洗浄運転の実行回数Ｃ１を「０」にリセットする（ＳＴ１〜ＳＴ３）。
【００４２】
一方、液量センサ４１の検知液量Ｓ１が上限量Ｓａ以上でない場合は（ＳＴ２のステップでＮｏ）、浴槽洗浄運転の実行回数Ｃ１を「０」にリセットしないで、さらに液量センサ４１の検知液量Ｓ１が下限量Ｓｂ未満であるか否かを判定する。その結果、上記検知液量Ｓ１が下限量Ｓｂ未満でない場合は（ＳＴ４のステップでＮｏ）、浴槽洗浄時に必要な量以上の洗浄液が洗浄液タンク４０内に貯留された状態であるとして、浴槽洗浄運転を開始する。具体的には、噴射量調整弁４４を洗浄時の設定開度に調整すると共に出湯開閉弁４７を開く。これにより、給水配管Ｌ１から給湯器２の給湯用熱交換器２２Ａへの通水が開始され、さらに給湯器２にて給水量センサ２３の検知水量が所定水量以上になれば、給湯用バーナ２１Ａが点火される。そして、給湯用熱交換器２２Ａで加熱生成された湯は、給湯配管Ｌ２を通じて出湯管路３１に導入され、洗浄ノズル１２から浴槽１の内壁面へ向けて噴射される（ＳＴ４〜ＳＴ５）。
【００４３】
図示しないが、本実施の形態では、浴槽洗浄運転の開始の指示（浴槽洗浄スイッチ５２のオン操作）がなされると、上記ＳＴ５のステップの浴槽洗浄運転を開始する前に自動排水栓１３を開き、浴槽１内の風呂水を排出させる。また、本実施の形態では、上記ＳＴ５のステップの浴槽洗浄運転として、湯のみを所定時間噴射させる「予洗い工程」を行った後、洗浄液開閉弁４２を開き、洗浄液タンク４０内の洗浄液を出湯管路３１に導入される湯と共に所定時間噴射させる「洗浄工程」を所定回数（例えば、３回）行い、再び洗浄液開閉弁４２を閉じ、湯のみを所定時間噴射させる「すすぎ工程」を行うように構成されている。尚、上記洗浄工程の繰り返し回数（洗浄回数）は、洗浄湯張り操作端末５を用いて使用者が任意に設定変更することができる。
【００４４】
そして、上記浴槽洗浄運転の全工程が終了すれば、図示しないメモリに記憶された浴槽洗浄運転の実行回数Ｃ１に「１」を加算記憶し、液量センサ４１の検知液量Ｓ１が下限量Ｓｂ未満であるか否かを判定する。その結果、上記検知液量Ｓ１が下限量Ｓｂ未満でない場合は（ＳＴ７のステップでＮｏ）、浴槽洗浄運転を行った後も洗浄液タンク４０内に必要な量以上の洗浄液が貯留された状態であるとして、再び浴槽洗浄運転の開始の指示（浴槽洗浄スイッチ５２のオン操作）がなされるのを待つ（ＳＴ６〜ＳＴ７，ＳＴ１）。或いは、図示しないが、浴槽洗浄運転が終了した後、引き続き湯張り運転が自動で実行されるように設定されている場合は、浴槽洗浄運転が終了した後、自動排水栓１３を閉じて湯張り運転を実行し、動作を終了する。
【００４５】
尚、上記のようにしてメモリに記憶された浴槽洗浄運転の実行回数Ｃ１は、運転スイッチ５０のオフ操作がなされた後も維持され、次回の浴槽洗浄運転では、その記憶された実行回数Ｃ１から閉弁不良の判定制御が行われる。
【００４６】
上記ＳＴ１〜ＳＴ７のステップを繰り返す間に、洗浄液の残量が下限量Ｓｂ未満になった場合は（ＳＴ４のステップ或いはＳＴ７のステップでＹｅｓ）、その時点における浴槽洗浄運転の実行回数Ｃ１が予め設定された基準回数Ｃｓ（例えば、２回）以上であるか否かを判定する。そして、上記実行回数Ｃ１が基準回数Ｃｓ以上である場合は（ＳＴ８のステップでＹｅｓ）、浴槽洗浄運転によって正常に洗浄液が消費された結果、洗浄液タンク４０内の洗浄液の残量が少なくなったものとして、洗浄液が残量不足であることを操作端末５から表示や音声にて報知し、動作を終了する（ＳＴ８〜ＳＴ９）。
【００４７】
一方、洗浄液の残量が下限量Ｓｂ未満になったときの浴槽洗浄運転の実行回数Ｃ１が基準回数Ｃｓ未満である場合は（ＳＴ８のステップでＮｏ）、洗浄液開閉弁４２の閉弁不良により、洗浄液タンク４０内の洗浄液が洗浄液混合管路３２を通じて合流部３３の上流側へ流れ、他の通水経路（例えば、大気開放弁４３の外部連通路４３０）から装置外部に漏出した結果、洗浄液タンク４０内の洗浄液の残量が少なくなったものとして、洗浄液開閉弁４２が閉弁不良状態であることを操作端末５から表示や音声にて報知し、動作を終了する（ＳＴ８，ＳＴ１０）。
【００４８】
このように、上記浴槽洗浄装置３によれば、洗浄液開閉弁４２に閉弁不良が生じ、洗浄液混合管路３２が常時開放された状態になっていても、浴槽洗浄が終了して出湯開閉弁４７が閉じられれば、出湯管路３１と洗浄液混合管路３２との合流部３３より下流側への通水が漏液防止弁４８によって阻止されるから、洗浄液タンク４０内の洗浄液が洗浄配管Ｌ６を通じて洗浄ノズル１２から浴槽１内に漏出するのを防止できる。従って、その後、湯張りが行われた際に風呂水に多量の洗浄液が混入することもなく、浴槽１内に洗浄液が残存した状態で使用されるのを適切に防止することができる。
【００４９】
また、洗浄液開閉弁４２の閉弁不良が生じても、洗浄液タンク４０内の洗浄液が浴槽１内に漏出しなければ、洗浄液の漏出を使用者が速やかに認識できず、点検や修理などの対処が遅れる虞がある。しかしながら、このものでは、洗浄液タンク４０内に洗浄液を上限量まで補充した後の浴槽洗浄運転の実行回数Ｃ１が基準回数Ｃｓ未満であるにもかかわらず、洗浄液の残量が下限量Ｓｂ未満になった場合は、洗浄液開閉弁４２に閉弁不良が生じているとして速やかにその旨を報知し、使用者に対して浴槽洗浄機能の使用中止や浴槽洗浄装置３の点検、修理などを促すことができる。これにより、浴槽１内に洗浄液が残存した状態で使用され続けるのを適切に防止することができる。
【符号の説明】
【００５０】
１      浴槽
１２    洗浄ノズル
２      給湯器（熱源機）
３      浴槽洗浄装置
３１    出湯管路
３２    洗浄液混合管路
４０    洗浄液タンク
４２    洗浄液開閉弁
４７    出湯開閉弁
４８    漏液防止弁
【図１】
0006594793.tif 000002
【図２】
0006594793.tif 000003
【図３】
0006594793.tif 000004